(57)【要約】【課題】逆止弁が簡単に交換できる水道用メータユニットを提供する。【解決手段】ベース１上の上流側に給水側保持部材２が設けられているとともに下流側に配水側保持部材３が対向して設けられており、給水側保持部材２と配水側保持部材３の少なくとも一方を軸線Ｘに沿ってスライド可能として給水側保持部材２と配水側保持部材３との間にカートリッジ式のメータ本体１６を着脱自在に挟持し、且つ配水側保持部材３に形成した送水路８に逆止弁１４が組み込まれた水道用メータユニットにおいて、配水側保持部材３における送水路８の下流側端部に形成した配水管接続口２３に逆止弁１４の挿脱が可能な逆止弁挿通口２４が開口されているとともに配水管接続口２３に逆止弁１４の止め部２５を有する屋内配管用接続具２６を着脱自在に接続した。【選択図】図１
2008101386.tif 000002
【特許請求の範囲】
【請求項１】
ベース上の上流側に給水側保持部材が設けられているとともに下流側に配水側保持部材が対向して設けられており、前記給水側保持部材と配水側保持部材の少なくとも一方を軸線に沿ってスライド可能として前記給水側保持部材と配水側保持部材との間にカートリッジ式のメータ本体を着脱自在に挟持し、且つ前記配水側保持部材に形成した送水路に逆止弁が組み込まれた水道用メータユニットにおいて、前記配水側保持部材における前記送水路の下流側端部に形成した配水管接続口に逆止弁の挿脱が可能な逆止弁挿通口が開口されているとともに屋内配管用接続具が前記配水管接続口に着脱自在に接続されていることを特徴とする水道用メータユニット。
【請求項２】
屋内配管用接続具がクイックファスナ形式の接続手段により前記配水管接続口に接続される請求項１記載の水道用メータユニット。
【請求項３】
前記屋内配管用接続具は逆止弁挿通口に装着したときに送水路に組組み込まれた逆止弁に当接して逆止弁の下流側への移動を阻止するための止め部を有している請求項１または２記載の水道用メータユニット。
【請求項４】
前記配水側保持部材がＴ字管形状を有して、下流側に開口部を有する垂直方向に立ち上がる分岐部が設けられている請求項１，２または３記載の水道用メータユニット。
【請求項５】
前記配水側保持部材における送水路の上流側端部に形成されるメータ本体の受け部を兼ねるメータユニット接続口に前記逆止弁の挿脱が可能で前記逆止弁の止め部を有する逆止弁挿通口が開口されている請求項１，２，３または４記載の水道用メータユニット。
【発明の詳細な説明】
【技術分野】
【０００１】
本発明は、例えば、集合住宅等の戸口付近に備えたパイプシャフトと称される格納庫に設置され水道の使用量を計測するための水道用メータユニットに関するもので、特に、メータ本体をカートリッジ式としてベースに交換可能に取り付けた水道用メータユニットに関するものである。
【背景技術】
【０００２】
従来から、給水配管と屋内配管への途中に使用量を計測するために水道用メータが設置されているが、水道用メータは計量法で定められた所定の期間ごとに交換することが必要であることから、例えば、特開平１１−９３２２６号公報，特開２００５−１７１６８９号公報等に提示されているようなメータ本体をカートリッジ式にして容易に交換可能としたものが採用されている。
【０００３】
これらの従来の水道用メータユニットは、図４に示すように、カートリッジ式のメータ本体１６を、例えばパイプシャフトと称される格納庫（図示せず）に配設されたベース１上の上流側に、例えば操作ハンドル９の操作により回転するねじ式の固定部材５をスライド可能且つ固定可能に設けられている給水側保持部材２が設置されているとともに、ベース１上の下流側に配水側保持部材３が固定状態で前記給水側保持部材２に対向して所定の間隔で設置されており、両保持部材２，３間の軸線方向の距離を変化させることによりカートリッジ式のメータ本体１６が着脱自在に挟持され、給水側保持部材２に継手１７等を介して給水官２０を接続し、配水側保持部材３に継手２１等を介して屋内配管２２が接続されたものであり、各配管の接続をそのままにした状態で給水側保持部材２をスライドさせるだけの簡単な作業でメーター本体１６を容易に交換することが可能であり、きわめて便利である。
【０００４】
また、前記従来の水道用メータユニットは、配水側保持部材３内に形成される送水路２３に逆止弁１４が組み込まれており、一旦屋内配管２２に給水された水道水が逆流して給水配管内の水道水を汚染することを防止している。
【０００５】
ところで、前記従来の水道用メータユニットは、給水側保持部材３の送水路２３に組み込まれた逆止弁１４が、ごみ等が詰まったり長期使用によって構造的に使用不能になったりすることがある。
【０００６】
そこで、配水側の保持部材３に設置されたメータ本体１６の受け部を兼ねる逆止弁１４のキャップ１３を外して逆止弁１４を交換することになるが、メータ本体１６を外さないと交換ができないことからきわめて面倒であり、また、メータ本体は使用量を積算する役目を有するものであることから、一定の管理の下にあり、交換には所定の手続が必要であって、多くの場合にはメータ本体１６の定期的な交換の際に、逆止弁１４の点検、保守作業を行っている。
【特許文献１】特開平１１−９３２２６号公報
【特許文献２】特開２００５−１７１６８９号公報
【発明の開示】
【発明が解決しようとする課題】
【０００７】
本発明は、前記従来の水道用メータユニットが抱えている前記逆止弁の交換に関する問題点を解決しようとするものであり、逆止弁を随時、簡単に交換できる水道用メータユニットを提供することを課題とするものである。
【課題を解決するための手段】
【０００８】
前記課題を解決するためになされた本発明である水道用メータユニットは、ベース上の上流側に給水側保持部材が設けられているとともに下流側に配水側保持部材が対向して設けられており、前記給水側保持部材と配水側保持部材の少なくとも一方を軸線に沿ってスライド可能として前記給水側保持部材と配水側保持部材との間にカートリッジ式のメータ本体を着脱自在に挟持し、且つ前記配水側保持部材に形成した送水路に逆止弁が組み込まれた水道用メータユニットにおいて、前記配水側保持部材における前記送水路の下流側端部に形成した配水管接続口に逆止弁の挿脱が可能な逆止弁挿通口が開口されているとともに前記配水管接続口に前記逆止弁の止め部を有する屋内配管用接続具が着脱自在に接続されていることを特徴とする。
【０００９】
本発明によれば、配水側保持部材における送水路の下流側端部に形成される配水管接続口に前記逆止弁の挿脱が可能な逆止弁挿通口を開口したことにより、屋内配管用接続具を外すことにより、逆止弁挿通口から逆止弁を取り出し、挿入することで逆止弁を容易に交換できる。
【００１０】
また、配水管接続口と屋内配管用接続具とがクイックファスナ形式の接続手段により接続されている場合には屋内配管の脱着がより簡単になって、逆止弁の交換が更に容易になる。
【００１１】
更に、前記屋内配管用接続具は逆止弁挿通口に装着したときに送水路に組み込まれた逆止弁に当接して逆止弁の下流側への移動を阻止するための止め部を有していることにより、逆止弁を所定の位置に組み込み可能であり、前記配水側保持部材３がＴ字管形状を有して、下流側に開口部を有する垂直方向に立ち上がる分岐部が設けられている場合には、前記開口部を介して逆止弁の状態や水道水のながらの様子を観察でき、また、圧力計などの他の器具を簡単に装着することができる。
【００１２】
加えて、前記配水側保持部材における送水路の上流側端部に形成されるメータ本体の受け部を兼ねるメータユニット接続口に前記逆止弁の挿脱が可能で前記逆止弁の止め部を有する逆止弁挿通口が開口されている場合には、従来と同様にメータユニットの交換時に逆止弁の点検や交換を同時に行うことができる。
【発明の効果】
【００１３】
以上の手段を有する本発明によれば、メータ本体を外すことなしに、逆止弁の交換を簡単にすることができる。
【発明を実施するための最良の形態】
【００１４】
以下、図面に示した本発明の実施の形態について、説明する。図１は、本発明の最も好ましい実施の形態に係る水道用メータユニットの一例を示すものであり、メータ本体の装着前の状態を示す断面図、図２はメータ本体を装着した状態を示す一部断面側面図である。
【００１５】
本発明に係る水道用メータユニットは、主としてベース１とその上において上流側（給水側）に軸線方向にスライド可能に配置された給水側保持部材２とベース１上の下流側（配水側）に前記給水側保持部材２に対向して配置された保持部材３等からなり、両保持部材２，３は、それぞれボルトＢでベース１に固定されている。
【００１６】
そして、軸線方向にスライド可能な保持部材２は、カートリッジ式のメータ本体１６の一端を差し込むソケットを兼ねる支持部４とその支持部４内に装着された段径になった操作筒５と導水管の一部となるスライド部材６で構成されている。一方、ベース１に固定されている配水側保持部材３は内部に逆止弁１４を収容した送水路８が形成されている。
【００１７】
操作筒５は支持部４に回動可能に係合し、その操作筒５には操作ハンドル９が一体に設けられている。操作ハンドル９を回動すると、操作筒５に螺合していスライド部材６が水平方向（軸線Ｘの前後）にスライドするようになっている。スライド部材６には、下部先端に円弧状の受部１０が下流側に突出して一体に設けられ、受部１０にはガイド溝１１が形成されている。ガイド溝１１にはベース１に固定されたガイドピン１２が係合し、メータスライド６は水平方向（軸線Ｘの前後）に正確にスライド可能になっている。
【００１８】
そして、本実施の形態においてメータ本体１６を装着するには、従来のものと同様で、操作ハンドル９を緩めてスライド部材６を所定の位置に戻した状態で、メータ本体１６を両受部１０、１３の間に装入し、操作ハンドル９を締める回動によってスライド部材６を上流側にスライドさせる。このことによって、メータ本体１６が両保持部材２,３の間に着脱可能に装着される（図２参照）。メータ本体１６を取外す際は、前記装着時の操作を行えばよく、メータ本体１６を両保持部材２,３の間から簡単に外すことができる。
【００１９】
尚、本実施の形態では、給水側保持部材２を軸線に沿ってスライド可能に配水側保持部材３を固定した状態でベース１に設けられているが、給水側保持部材２および配水側保持部材３は何れか一方または双方がスライド可能としてメータ本体１６を脱着可能に挟持するものであればよく形式は問わない。
【００２０】
更に、本実施の形態では、前記スライド可能な給水側保持部材２の支持部４には、一部はスライド部材６のガイドとなるエルボ継手１７が固定され、エルボ継手１７を介して減圧弁ユニット１８が接続され、減圧弁ユニット１８には止水栓１９が接続されて止水栓１９に、図示しない給水配管が接続されるようになっている。
【００２１】
また、ベース１に固定状態で配置された配水側保持部材３における上流側（メータ本体１６の装着側）の端部に、下部先端に円弧状の受部１３が上流側に突出して一体に設けられている。この保持部材３には軸線Ｘに沿って送水路８が形成され、その内部に屋外配管２２に供給された水道水が逆流するのを防止する逆止弁１４が組み込まれており、更に、前記送水路８の下流側端部（屋内配管の装着側）に形成される配水管接続口２３には逆止弁１４の挿脱が可能な逆止弁挿通口２４が開口されているとともに前記逆止弁１４の止め部２５を有する屋内配管用接続具（継手）２６がクイックファスナＦ等によって着脱自在に接続されている。
【００２２】
従って、本実施の形態は、止水栓１９を緩めて栓を開放すると、給水配管側から水が減圧弁ユニット１８に流れて一定の水圧に減圧され、エルボ継手１７を通してメータ本体１６に流れ、そこで水道使用量が計測され、逆止弁１４，継手２０を通って、図示しない各屋内配管を通り屋内に設置された各蛇口（図示せず）から給水される。
【００２３】
特に、本実施の形態における特徴は、メータ本体１６の定期交換時期以外に逆止弁１４を交換できることであり、この場合には、少なくとも配水側保持部材３の上流側において給水を止めた状態とし（例えば止水栓１９を用いる）、装着されているクイックファスナＦの接続を解除して屋内配管用接続具（継手）２６を外し、露出させた逆止弁挿通口２３を介して逆止弁１４を交換し、再び、クイックファスナＦを用いて配水管接続口７に屋内配管用接続具（継手）２６を装着するだけのきわめて簡単な作業で、勿論。メータ本体１６の脱着をせずに行うことができる。
【００２４】
特に、本実施の形態では、ベース１に固定状態で配置された配水側保持部材３における送水路８の上流側（メータ本体１６の装着側）の端部において送水路８に収納した逆止弁１４の挿通が可能であり、メータ本体１６の受け部を兼ねる逆止弁１４のキャップ１３を外して逆止弁１４を交換することができるので、従来のものと同様に、メータ本体１６の保守、点検や交換などの定期的な作業時に逆止弁１４を点検、交換することもできる。
【００２５】
尚、本発明は、本実施の形態に限定されるものではなく、例えば、減圧弁がない型式のもの、また固定の保持部材にストレート継手を介して屋外配管が接続する型式のもの等、各種の水道水用メータユニットに応用できることは言うまでもない。
【００２６】
また、本実施の形態の場合、スライド可能な保持部材２は、支持部４をボルトＢでベース１に固定しているが、引例の如く支持部をベースに一体に設け、その支持部に固定されたエルボ継手の一部がメータスライドのガイドとなる構造にしてもよい。
【００２７】
図３は本発明の異なる実施の形態を示すものであり、全体の構成は前記図１および図２に示した実施の形態とほぼ同様であるが、ベース１に固定されている配水側保持部材３がＴ字管形状を有し、その部材の図示する軸線Ｘに沿って配水管接続口２３が設けられているともに、下流側に開口部２７を有する軸線Ｘ方向に対して垂直方向に立ち上がる分岐部２８が設けられている。
【００２８】
この分岐部２８は図３（ａ）に示すように、特に使用しないときは開口端に例えばクイックファスナ形式により脱着可能な防水キャップ２９を嵌めて開口部２７を閉じておくが、開口部２８の下方には逆止弁１４が収容されているので防水キャップ２９を外して開口部２７を露出させることにより配水管接続口２３に装着した屋内配管用接続具（継手）２６に全く触れずに逆止弁１４の状態を簡単に観察できる。
【００２９】
また、防水キャップ２９に窓を設けるなど一部を透明体により形成する場合には、防水キャップ２９を外さなくても逆止弁１４の様子や水道水の流れ具合などを観察することもできる。
【００３０】
更に、必用な場合には、図３（ｂ）に示すように防水キャップ２９の変わりに例えば圧力計３０のような測定具等機器をクイックファスナ形式により簡単に装着することもできる。
【図面の簡単な説明】
【００３１】
【図１】本発明の一実施の形態に係る水道用メータユニットであり、メータ本体の装着前の状態を示す断面図である。
【図２】そのメータ本体の装着後の状態を示す一部断面側面図である。
【図３】本発明の異なる実施の形態を示す部分図である。
【図４】従来例を示す一部断面説明図である。
【符号の説明】
【００３２】
１  ベース、２  給水側保持部材、３  配水側保持部材、４  支持部、５  操作筒、６  メータスライド、８  流水路、９  操作ハンドル、１４  逆止弁、２８  開口部、２３  配水管接続口、２８  分岐部、Ｆ  クイックファスナ
【図１】
2008101386.tif 000003
【図２】
2008101386.tif 000004
【図３】
2008101386.tif 000005
【図４】
2008101386.tif 000006